(57)【要約】【課題】携帯端末機のディスプレイ部の上部で動く反射体の動作を認識してタッチすることなく携帯端末機を制御できるモーション感知スイッチを提供する。【解決手段】本発明は携帯端末機のディスプレイ部の上部で動く反射体の動作を認識して携帯端末機を制御するモーション感知スイッチにおいて、携帯端末機の本体上部でディスプレイ部の外側に装着されるベースと、ベースに装着される受光素子と、ベースに受光素子を中心に対称するよう離隔配置されて光を照射する多数の発光素子と、発光素子を作動させる制御部と、から成り、受光素子はディスプレイ部方向に傾斜するよう配置され、発光素子から照射されて反射体に反射された光を感知して制御部に動作信号を送り、発光素子は受光素子の反対方向に傾斜するよう配置され、制御部は動作信号を受けて反射体のモーションを認識することを特徴とする。【選択図】図１
2013045451.tif 000002
【特許請求の範囲】
【請求項１】
携帯端末機のディスプレイ部の上部で動く反射体の動作を認識して携帯端末機を制御するモーション感知スイッチにおいて、
前記ディスプレイ部が装着された前記携帯端末機の本体上部で前記ディスプレイ部の外側に装着されるベースと、
前記ベースに装着される受光素子と、
前記ベースに前記受光素子を中心に対称するよう離隔配置されて光を照射する多数の発光素子と、
前記発光素子を作動させる制御部と、から成り、
前記受光素子は前記ディスプレイ部方向に傾斜するよう配置され、前記発光素子から照射されて前記反射体に反射された光を感知して前記制御部に動作信号を送り、
前記発光素子は前記受光素子の反対方向に傾斜するよう配置され、
前記制御部は前記動作信号を受けて前記反射体のモーションを認識することを特徴とするモーション感知スイッチ。
【請求項２】
前記携帯端末機には前記ベースが挿着される装着溝が形成され、
前記ベースは、
前記装着溝に挿着され、上部に前記ディスプレイ部方向に下向きに傾斜した第１傾斜部が形成された第１ベースと、
前記第１傾斜部に装着され中心部に貫通口が形成されて前記貫通口を中心に前記貫通口の反対方向に下向きに傾斜した第２傾斜部が形成された第２ベースと、
前記第１ベースと第２ベースとの間に配置され、上部に前記受光素子が装着された回路基板と、から成り、
前記受光素子は前記貫通口の下部に配置されて前記貫通口を介して前記発光素子から照射された光を感知し、
前記発光素子は前記第２傾斜部に結合されて前記受光素子の反対方向に傾斜するよう配置されることを特徴とする請求項１に記載のモーション感知スイッチ。
【請求項３】
前記第２傾斜部は４つから成り、前記貫通口を中心に相互９０°間隔に配置され、
前記第２傾斜部は同一の角度に傾斜するよう形成されてそれぞれの前記発光素子が前記第２傾斜部に同一の角度に傾斜するよう配置されることを特徴とする請求項２に記載のモーション感知スイッチ。
【発明の詳細な説明】
【技術分野】
【０００１】
本発明は、モーション感知スイッチであって、携帯端末機のディスプレイ部の上部で動く反射体の動作を認識してタッチ無しに携帯端末機を制御できるモーション感知スイッチに関する。
【背景技術】
【０００２】
電子通信科学の発展につれて移動電話またはＰＤＡなどの携帯端末機は、現代生活では、なくてはならない必須品であり、このような携帯端末機は新たな特殊機能を有し、操作が便利なように改善されて消費者の視線を引いている。
【０００３】
現在、携帯端末機は電話通話機能、インターネットアクセス機能、ゲーム機能など様々な機能を提供しており、このような様々な機能を選択及び制御できるよう多数のキーボタンを備えている。
【０００４】
また、スクリーンタッチによって前述したような携帯端末機の様々な機能を制御することができる。
【０００５】
このような携帯端末機は、移動性と携帯性を保障できるよう小型化設計されるので、狭小なスペース上に設けられたキーボタンを正確に選択し難い。
【０００６】
特に、移動中だったり運転中だったりするとユーザの活動が制約を受けてユーザがキーボタンまたは携帯端末機のスクリーンを直接タッチしなければならないので、入力動作を行なうのに困難があった。
【０００７】
このような問題点を解決するために、キーパッドなどの入力装置と直接接触することなく非接触動作によって携帯端末機の機能を制御できるようユーザ動作感知を通じた制御機能を持つ技術が開発されている。
【０００８】
このような制御機能は、携帯端末機だけでなく各種機器のインターフェイス装置、モーション認識ゲーム、自動車パネル、厨房機器など様々な分野に装着して適用することができる。
【０００９】
また前記非接触式制御装置は、動作の認識率及び反応性を向上させるためにそのサイズを大きくしなければならない。
【００１０】
即ち、前記非接触式制御装置を効果的に具現するためには、外部動作を感知する各センサー間の間隔を離隔させる必要がある。
【００１１】
これによって前記非接触式制御装置のサイズを大きくすれば、動作を感知する各センサー間の距離を増やすことができるので、遠距離でも外部動作を認識するのが容易になる。
【００１２】
しかし、携帯電話機、ナビゲーションのベゼル（Ｂｅｚｅｌ）、スイッチのケースなどのような小型機器にはこのような非接触式制御装置を装着し難いので、非接触式制御装置を小型モジュール化する必要がある。
【００１３】
しかし、非接触式制御装置を小型化すると、各センサー間の距離が狭くなって遠距離で動作を認識することが上手くいかなかったり、制御動作に敏感に反応できず、小型化された様々な機器を制御するのに不便だった。
【００１４】
近年は、タブレットＰＣやＰＤＡのような広いディスプレイ部を有する携帯端末機が普及され多く使用されている。
【００１５】
前記タブレットＰＣなどのような携帯端末機は広いディスプレイ部を有すると共に携帯が容易でなければならない。
【００１６】
これによって前述したような小型モジュール化された非接触式制御装置が必要だが、ディスプレイ部が広く形成されているので、ディスプレイ部の外側の携帯端末機ベゼル（Ｂｅｚｅｌ）部位にこのような非接触式制御装置を装着する場合、ディスプレイ部の上部に位置する物体の動作を感知し難いので、携帯端末機を非接触式に制御するために、携帯端末機のベゼル上部で制御動作を行なわなければならない。
【００１７】
上記のような制御動作は、ディスプレイ部に出力されるアイコンや出力内容を直接制御するという感覚を劣らせ、ユーザが視覚で注視する位置と制御動作を行なう位置とが異なるので、ディスプレイ部を注視しながらディスプレイ部の上部で制御動作を行なうのに比べて操作が不便な問題点がある。
【発明の概要】
【発明が解決しようとする課題】
【００１８】
本発明は上記のような問題点を解決するために案出されたものであって、小型モジュール化して携帯端末機の小型化を図りながら遠距離で外部動作の認識率を高めて外部動作に対して本発明は上記のような問題点を解決するために案出されたものであって、小型モジュール化して携帯端末機の小型化を図りながら遠距離で外部動作の認識率を高めて外部動作に対して敏感に反応し、ディスプレイ部の上部で非接触式に携帯端末機を便利なように制御できるモーション感知スイッチを提供するところに目的がある。
【課題を解決するための手段】
【００１９】
上述した目的を達成するために、本発明に係るモーション感知スイッチは、携帯端末機のディスプレイ部の上部で動く反射体の動作を認識して携帯端末機を制御するモーション感知スイッチにおいて、携帯端末機の本体上部で前記ディスプレイ部の外側に装着されるベースと、前記ベースに装着される受光素子と、前記ベースに前記受光素子を中心に対称するよう離隔配置されて光を照射する多数の発光素子と、前記発光素子を作動させる制御部と、から成り、前記受光素子は前記ディスプレイ部方向に傾斜するよう配置され、前記発光素子から照射されて前記反射体に反射された光を感知して前記制御部に動作信号を送り、前記発光素子は前記受光素子の反対方向に傾斜するよう配置され、前記制御部は前記動作信号を受けて前記反射体のモーションを認識する。
【００２０】
前記携帯端末機には前記ベースが挿着される装着溝が形成され、前記ベースは、前記装着溝に挿着され、上部に前記ディスプレイ部方向に下向きに傾斜された第１傾斜部が形成された第１ベースと、前記第１傾斜部に装着され中心部に貫通口が形成され、前記貫通口を中心に前記貫通口の反対方向に下向きに傾斜された第２傾斜部が形成された第2ベースと、前記第１ベースと第２ベースとの間に配置され、上部に前記受光素子が装着された回路基板と、から成り、前記受光素子は前記貫通口の下部に配置され前記貫通口を介して前記発光素子から照射された光を感知し、前記発光素子は前記第２傾斜部に結合されて前記受光素子の反対方向に傾斜するよう配置される。
【００２１】
前記第２傾斜部は４つから成り、前記貫通口を中心に相互９０°間隔に配置され、前記第２傾斜部は同一の角度に傾斜するよう形成されてそれぞれの前記発光素子が前記第２傾斜部に同一の角度に傾斜するよう配置される。
【発明の効果】
【００２２】
本発明に係るモーション感知スイッチは、次のような効果がある。
【００２３】
受光素子をディスプレイ部方向に傾斜するよう配置させ、発光素子を受光素子の反対方向に傾斜するよう配置させることによって、遠距離で外部動作の認識率を高め外部動作に対して敏感に反応するようにしてディスプレイ部の上部で非接触式に携帯端末機を便利なように制御することができる。
【００２４】
また、第２傾斜部は同一の角度に傾斜するよう形成されてそれぞれの発光素子が第２傾斜部に同一の角度に傾斜するよう配置されるによって、各発光素子から照射された光が重なり合わない距離を増加させて反射体のモーションを敏感に感知する範囲を増加させることができる。
【図面の簡単な説明】
【００２５】
【図１】本発明の実施形態に係るモーション感知スイッチが装着された携帯端末機の斜視図である。
【図２】本発明の実施形態に係るモーション感知スイッチと携帯端末機の分解図である。
【図３】本発明の実施形態に係るモーション感知スイッチの分解斜視図である。
【図４】本発明の実施形態に係る回路基板の垂直方向から見た図である。
【図５】図１のＡ−Ａ線を切取った断面図である。
【図６】図５において受光素子と発光素子の受光範囲及び発光範囲を単純化して示した断面図である。
【図７】図６のＢ部分を拡大して示した拡大図である。
【図８】（ａ）は、図６においてｚ軸方向に見た図である。（ｂ）は、図６においてｚ軸方向に見た図である。
【発明を実施するための形態】
【００２６】
以下、図面を参照して本発明の実施形態をさらに詳しく説明する。
【００２７】
図１は、本発明の実施形態に係るモーション感知スイッチが装着された携帯端末機の斜視図であり、図２は本発明の実施形態に係るモーション感知スイッチと携帯端末機の分解図で、図３は本発明の実施形態に係るモーション感知スイッチの分解斜視図である。図４は本発明の実施形態に係る回路基板の垂直方向から見た図で、図５は図１のＡ−Ａ線を切取った断面図、図６は図５において受光素子と発光素子の受光範囲及び発光範囲を単純化して示した断面図であり、図７は図６のＢ部分を拡大して示した拡大図で、図８は図６においてｚ軸方向に見た図である。
【００２８】
本発明の実施形態に係るモーション感知スイッチＳは、図１ないし図７に示されたように、ベース１００、受光素子２００、発光素子３００、補償素子４００及び制御部（図示せず）から成る。
【００２９】
前記ベース１００はタブレットＰＣやＰＤＡなどの携帯端末機に装着される。
【００３０】
このようなタブレットＰＣやＰＤＡなどは従来の携帯端末機に比べてディスプレイ部が広く形成されてノートＰＣよりも携帯が容易で且つ広い画面を便利なように使用することができる。
【００３１】
また、ディスプレイ部２０を小さくして形成された一般的な携帯端末機やその他の様々な電子機器にも装着することができる。
【００３２】
図１及び図２に示されたように、前記携帯端末機の本体１０の上部で前記ディスプレイ部２０の外側には装着溝１１が形成される。
【００３３】
即ち、前記装着溝１１は前記ディスプレイ部２０が装着される携帯端末機の前面で前記ディスプレイ部２０の外側に形成される。
【００３４】
前記本体１０の上部には透明な材質のカバー部材３０が装着されて前記装着溝１１とディスプレイ部２０を覆う。
【００３５】
図２はモーション感知スイッチＳと携帯端末機の分解図であって、携帯端末機の前面を覆うカバー部材３０は図示していない。
【００３６】
前記ベース１００は前記装着溝１１に挿入されて前記携帯端末機の上部で前記ディスプレイ部２０の外側に配置される。
【００３７】
このような前記ベース１００は、図３に示されたように、第１ベース１１０、第２ベース１２０及び回路基板１３０から成る。
【００３８】
前記第１ベース１１０は図３及び図４に示されたように前記装着溝１１に挿着され上部に前記ディスプレイ部２０方向に下向きに傾斜された第１傾斜部１１１が形成される。
【００３９】
場合によって前記第１傾斜部１１１を別途形成せず前記装着溝１１の底面を前記ディスプレイ部２０方向に下向きに傾斜されるよう形成して前記第１ベース１１０を傾斜されるよう装着することもできる。
【００４０】
前記第２ベース１２０は前記傾斜面に装着されて前記装着溝１１の内部に配置される。
【００４１】
図３に示されたように、前記第２ベース１２０の中心部には貫通口１２１が形成される。
【００４２】
後述するように、前記貫通口１２１を介して前記受光素子２００が前記発光素子３００から照射されて反射体（図示せず）に反射された光を感知する。
【００４３】
前記貫通口１２１には投光カバー１２２が装着される。
【００４４】
また、前記第２ベース１２０には前記貫通口１２１を中心に前記貫通口１２１の反対方向に下向きに傾斜した第２傾斜部１２３が形成される。
【００４５】
詳細には前記第２傾斜部１２３は４つから成り、前記貫通口１２１を中心に相互９０°間隔に配置される。
【００４６】
また、前記第２傾斜部１２３は前記貫通口１２１の外側方向に同一の角度に傾斜するよう形成される。
【００４７】
このような前記第２傾斜部１２３には前記第２傾斜部１２３を貫通する結合孔１２４が形成される。
【００４８】
前記結合孔１２４には前記発光素子３００が結合されて前記受光素子２００に対して反対方向に傾斜するよう配置される。
【００４９】
前記回路基板１３０は前記第１ベース１１０と第２ベース１２０との間に配置され上部に前記受光素子２００が装着される。
【００５０】
また、前記回路基板１３０の上部には補償素子４００が装着される。
【００５１】
前記受光素子２００と補償素子４００は前記貫通口１２１の下部に配置される。
【００５２】
前記回路基板１３０は前記受光素子２００、補償素子４００及び発光素子３００と電気的に連結される。
【００５３】
前記受光素子２００は前記ベース１００に装着される。
【００５４】
即ち、前記受光素子２００は前記回路基板１３０に装着され、前記貫通口１２１の下部に配置されて前記貫通口１２１を介して前記発光素子３００から照射されて前記反射体に反射された光を感知する。
【００５５】
また、前記発光素子３００は前記反射体に反射された光を感知して前記制御部に動作信号を送る。
【００５６】
具体的に前記受光素子２００はフォトダイオード（Ｐｈｏｔｏｄｉｏｄｅ）から成り、光を感知すると電流を発生させる。
【００５７】
前記のように前記受光素子２００から発生された電流は前記制御部に伝達されて前記反射体の動きを判断する動作信号になる。
【００５８】
このような前記受光素子２００は、図４に示されたように前記ディスプレイ部２０の上部に向けて傾斜するよう配置されて、前記ディスプレイ部２０の上部で移動する前記反射体（図示せず）に反射された光を感知する。
【００５９】
前記発光素子３００は前記ベース１００、即ち、前記第２傾斜部１２３に前記受光素子２００を中心に対称するよう離隔配置されて光を照射する。
【００６０】
具体的に前記発光素子３００は４つが前記第２傾斜部１２３に形成された前記結合孔１２４にそれぞれ結合されて前記受光素子２００の反対方向に傾斜するよう配置される。
【００６１】
またそれぞれの前記発光素子３００は、同一の角度に傾斜するよう配置される。
【００６２】
前記第２傾斜部１２３にそれぞれ装着される４つの前記発光素子３００のうち、図６及び図７に示されたように、前記ディスプレイ部２０に隣接するよう配置された発光素子３００から照射される光は、前記携帯端末機に遮られず前記ディスプレイ部２０の上部に照射されて前記ディスプレイ部２０の上部で移動する前記反射体に反射される。
【００６３】
また、前記発光素子３００が傾斜するよう配置される角度は、前記発光素子３００から照射される光の発光範囲に応じて適切に調節することができる。
【００６４】
このような前記発光素子３００はＩＲ（Ｉｎｆｒａｒｅｄ  Ｒａｙｓ）ＬＥＤであって赤外線を照射する。
【００６５】
前記発光素子３００から前記ディスプレイ部２０の上部に照射された赤外線は前記ディスプレイ部２０の上部で移動する反射体によって前記受光素子２００に反射される。
【００６６】
前記反射体は、モーション感知スイッチＳが装着された携帯端末機を制御するために、前記ディスプレイ部２０の上部で動くユーザの身体またはユーザによって動く各種道具になり得る。
【００６７】
前記補償素子４００は、図５に示されたように前記回路基板１３０の上部で前記受光素子２００に隣接するよう装着されて前記受光素子２００に赤外線を照射する。
【００６８】
前記補償素子４００は、前述したように前記受光素子２００と共に前記貫通口１２１の下部に配置される。
【００６９】
場合によって、前記補償素子４００は前記貫通口１２１の下部に配置されないこともある。
【００７０】
このように前記補償素子４００は、前記受光素子２００に光を照射することによって、前記受光素子２００は前記発光素子３００から照射されて前記反射体に反射された光と前記補償素子４００から照射された光を全て受光して感知し、この光によって生成される電流を前記制御部に送る。
【００７１】
具体的に前記補償素子４００は別途装着されたセンサー（図示せず）が感知する周囲環境の明るさにつれて前記受光素子２００が一定量の光を感知するよう光を照射するようになる。
【００７２】
即ち、室内の照明、野外の天気、トンネルなどのような環境変化は前記受光素子２００が感知できる光源に変化を発生させるので、前記補償素子４００が外部の光量につれて前記受光素子２００に光を照射するようになる。
【００７３】
これにより前記制御部は前記受光素子２００から前記補償素子４００によって補正された電流値による動作信号を得る。
【００７４】
前記制御部（図示せず）は前記回路基板１３０に装着されて前記受光素子２００及び発光素子３００と電気的に連結される。
【００７５】
また、前記制御部は前記発光素子３００が光を照射するよう作動させる。
【００７６】
具体的に前記制御部は、後述するように４つの前記発光素子３００を順次に反復されるよう作動させる。
【００７７】
また、前記制御部は前記受光素子２００の感知した光によって生成された電流による動作信号が伝達されて前記反射体の動きにつれて前記携帯端末機を制御する。
【００７８】
前述したような前記発光素子３００は、前記受光素子２００に対して斜めにならないよう配置することもできるが、本実施形態のように前記第２傾斜部１２３を形成して前記発光素子３００が前記受光素子２００に対して傾斜するよう配置されることによって、遠距離でもそれぞれの前記発光素子３００から照射された光の重なり合いを最少化して前記受光素子２００から感知された光が４つの前記発光素子３００のうちどの発光素子３００から照射された光であるかを区別し易くなる。
【００７９】
図８（ａ）は、図６においてｚ軸方向に見た図であって、受光素子２００の受光範囲と発光素子３００の発光範囲を示した。
【００８０】
図８（ｂ）は、第２傾斜部１２３が回路基板１３０と平行に形成された図であって、図８（ａ）のように受光素子２００の受光範囲と発光素子３００の発光範囲を示した図である。前記発光素子３００が前記受光素子２００に対して反対方向に傾斜するよう配置されると、図８（ａ）に示されたように、モーション感知スイッチＳから距離が遠くなっても前記受光素子２００の受光範囲Ｒ内でそれぞれの前記発光素子３００から照射される光の発光範囲Ｔが重なり合うことを最少化することができる。
【００８１】
しかし、図８（ｂ）に示されたように、前記発光素子３００が前記受光素子２００に対して傾斜するよう配置されないと、モーション感知スイッチＳから遠くなるほど前記発光素子３００から発光された光の重なり合い区間が増加し、このような重なり合い区間に前記反射体が位置すると、前記反射体の位置を正確に確認し難くなる。
【００８２】
従って、本実施形態では、前記発光素子３００を前記受光素子２００に対して傾斜するよう配置してそれぞれの前記発光素子３００から照射された光の発光範囲Ｔの重なり合い区間を最少化することによって、前記受光素子２００から感知した光による動作信号に応じて前記制御部が前記ディスプレイ部２０の上部の前記反射体の動きを判断して携帯端末機を容易に制御することができる。
【００８３】
前述したように、前記受光素子２００は前記ディスプレイ部２０方向に傾斜するよう配置され、前記発光素子３００は前記受光素子２００の反対方向に傾斜するよう配置されることによって、遠距離で外部動作の認識率を高め外部動作に対して敏感に反応するようにすることでディスプレイ部２０の上部で非接触式に携帯端末機を便利なように制御することができる。
【００８４】
以下、上述した構成に係るモーション感知スイッチＳの作動方法について見てみる。
【００８５】
前記制御部は前記発光素子３００を順次に反復点滅させて前記ディスプレイ部２０の上部に光が照射される。
【００８６】
携帯端末機のディスプレイ部２０が広く形成される場合、前記ディスプレイ部２０の外側に配置されたモーション感知スイッチＳは前記反射体のモーションを感知する感光範囲がモーションスイッチの上部に形成されて、ユーザが前記ディスプレイ部２０の上部でなく前記ディスプレイ部２０の外側で制御動作を行なわなければならない問題点がある。
【００８７】
しかし、前述したように本実施形態で前記受光素子２００は、前記ディスプレイ部２０方向に傾斜するよう配置され、前記発光素子３００は前記受光素子２００に対して反対方向に傾斜するよう配置されることによって、前記発光素子３００は前記ディスプレイ部２０の上部に光を照射し、前記受光素子２００は前記ディスプレイ部２０の上部で移動する前記反射体によって反射された光を感知して遠距離でも前記反射体の動きを感知し易く、ユーザが前記ディスプレイ部２０を注視しながらディスプレイ部２０の上部で携帯端末機を制御することが容易になる。
【００８８】
前記発光素子３００は前記制御部によって順次点滅されることによって、前記制御部で４つの前記発光素子３００から発散された光を区別するのが容易になる。
【００８９】
いずれか一つの前記発光素子３００から発散された光は前記反射体に反射されて前記受光素子２００が感知することになるが、前記反射体が前記ディスプレイ部２０の上部で移動するにつれて前記反射体に反射される光はその強さが変わることになる。
【００９０】
このようにいずれか一つの前記発光素子３００から照射されて前記反射体に反射された光の強さが変わる間、残りの前記発光素子３００から照射された光は前記反射体に反射できず前記受光素子２００で感知できなかったり、前記反射体に反射されて前記受光素子２００で感知するとしても、その強さの変化が小さいので、前記制御部は前記反射体に反射されて前記受光素子２００が感知した光によって発生された電流、即ち、動作信号の強さの変化につれて前記反射体に反射されて前記受光素子２００で感知した光が照射された受光素子２００を区別して確認することができる。
【００９１】
これによって前記制御部は前記ディスプレイ部２０の上部で移動する前記反射体の位置及び移動を確認することができる。
【００９２】
即ち、前記受光素子２００は前記反射体に反射された光を感知して生成された電流で前記制御部に動作信号を送り、前記制御部は前記動作信号によって前記動作信号の強さ及び特性を分析して前記ディスプレイ部２０の上部の前記反射体の位置及び移動を確認し、モーション感知スイッチＳが装着された前記携帯端末機を前記反射体のモーションにつれて作動させることができる。
【００９３】
さらに詳しくは図８（ａ）に示されたように、前記発光素子３００は第１発光素子３００ａ、第２発光素子３００ｂ、第３発光素子３００ｃ及び第４発光素子３００ｄから成り、前記ディスプレイ部２０の上部で前記反射体が前記第１発光素子３００ａ方向から第３発光素子３００ｃ方向に移動すると、前記第１発光素子３００ａから照射されて前記受光素子２００で感知する光の強さが大きくなっては小さくなった後、前記第３発光素子３００ｃから照射されて前記受光素子２００で感知する光の強さが大きくなっては小さくなる。
【００９４】
前記のような第１発光素子３００ａと第３発光素子３００ｃから照射された光の強さの変化につれて前記受光素子２００は動作信号を発生させ、前記制御部は前記動作信号を受けて前記反射体がｙ軸方向、即ち、前記第１発光素子３００ａから第３発光素子３００ｃ方向に移動することが分かる。
【００９５】
一方、前記反射体が前記第３発光素子３００ｃ方向から第１発光素子３００ａ方向に移動する際は、前記第３発光素子３００から照射された光の強さが先に変化した後、前記第１発光素子３００ａから照射された光の強さが変化する。
【００９６】
また、前記反射体が前記第２発光素子３００ｂ方向から第４発光素子３００ｄ方向に移動すると、前記第２発光素子３００ｂから発散されて前記受光素子２００で感知する光の強さが大きくなっては小さくなった後、前記第４発光素子３００ｄから照射されて前記受光素子２００で感知する光の強さが大きくなっては小さくなる。
【００９７】
これによって、前記制御部は前記ディスプレイ部２０の上部の前記反射体がｙ軸方向に移動することと同様に、前記反射体がｘ軸方向に移動することが分かる。
【００９８】
また、前記反射体の上下移動は前述したような前記反射体のｙ軸方向移動と前記発光素子３００から照射されて前記反射体に反射された後、前記受光素子２００が感知する全体光の強さの変化を複合的に判断して携帯端末機を制御する。
【００９９】
即ち、モーション感知スイッチＳは、前述したように携帯端末機に傾斜するよう配置されるので、前記反射体の上下移動はモーション感知スイッチＳに対して前記反射体がｙ軸方向に移動することと似たような動きを有し、同時に前記反射体が上下移動することにつれて前記反射体と受光素子２００との間の距離が遠くなるほど前記受光素子２００が感知する光の強さが弱くなり、前記反射体と受光素子２００との間の距離が近くなるほど前記受光素子２００が感知する光の強さが強くなって前記制御部は前記反射体がｙ軸方向に移動することとを感知すると共に前記受光素子２００で感知する全体的な光の強さが増減すると、前記反射体が上下に移動することと判断する。
【０１００】
このように、前記制御部は前記反射体の動きを立体的に認識して前記反射体の動きにつれてモーション感知スイッチＳが装着された機器を作動させることができる。
【０１０１】
このようなモーション感知スイッチＳは、前述したように前記受光素子２００が前記ディスプレイ部２０方向に傾斜するよう配置され、前記発光素子３００が前記受光素子２００の反対方向に傾斜するよう配置されて、前記ディスプレイ部２０の上部に光を照射することによって、遠距離で外部動作の認識率を高め外部動作に対して敏感に反応するようにして前記ディスプレイ部２０の上部で非接触式に携帯端末機を便利なように制御することができる。
【０１０２】
これによって携帯端末機にモーション感知スイッチＳを適用して前記ディスプレイ部２０の上部でタッチすることなく携帯端末機を便利なように制御することができる。
【０１０３】
本発明のモーション感知スイッチは、前述した実施形態に限らず、本発明の技術思想が許容される範囲内で様々に変形して実施することができる。
【符号の説明】
【０１０４】
１０        本体
１１        装着溝
２０        ディスプレイ部
３０        カバー部材
１００      ベース
１１０      第１ベース
１１１      第１傾斜部
１２０      第２ベース
１２１      貫通口
１２２      投光カバー
１２３      第２傾斜部
１２４      結合孔
１３０      回路基板
３００      発光素子
３００ａ    第１発光素子
３００ｂ    第２発光素子
３００ｃ    第３発光素子
３００ｄ    第４発光素子
４００      補償素子
【図１】
2013045451.tif 000003
【図２】
2013045451.tif 000004
【図３】
2013045451.tif 000005
【図４】
2013045451.tif 000006
【図５】
2013045451.tif 000007
【図６】
2013045451.tif 000008
【図７】
2013045451.tif 000009
【図８】
2013045451.tif 000010